(57)【特許請求の範囲】
【請求項１】
ダイパッドと、
溝を有するリードと、
前記ダイパッドに搭載された半導体チップと、
前記半導体チップと前記リードとを電気的に接続する金属細線と、
前記溝と、前記金属細線と、前記半導体チップと、前記リードの上面とを封止し、かつ、前記リードの下面の一部を露出する封止樹脂とを備え、
前記溝は、前記リードの下面の露出部の上方に位置し、
前記リードは、上方の幅が下方の幅よりも広い部分を有し、
前記金属細線は、前記リードの前記溝の上でない部分であって、前記封止樹脂に封止された部分に接続される樹脂封止型半導体装置。
【請求項２】
前記リードの下面の一部以外の部分が前記封止樹脂により封止された請求項１に記載の樹脂封止型半導体装置。
【請求項３】
前記リードは、上面が下面よりも大きい請求項１又は２に記載の樹脂封止型半導体装置。
【請求項４】
前記溝は、前記リードの上面に形成されている請求項１から３のいずれかに記載の樹脂封止型半導体装置。
【請求項５】
前記リードは、前記溝よりも前記ダイパッド側に薄肉部を有し、前記薄肉部の厚みは、前記リードの下面の露出部と前記リードの前記溝を除く上面とで構成される厚みよりも薄い請求項１から４のいずれかに記載の樹脂封止型半導体装置。
【請求項６】
前記薄肉部の下方に前記樹脂封止を有している請求項５に記載の樹脂封止型半導体装置。
【請求項７】
前記半導体チップは、前記ダイパッドからはみ出して搭載されている請求項１から６のいずれかに記載の樹脂封止型半導体装置。
【請求項８】
前記封止樹脂は、前記ダイパッドの下面を露出している請求項１から７のいずれかに記載の樹脂封止型半導体装置。
【請求項９】
前記封止樹脂の側面と前記リードの先端とがほぼ同一面である請求項１から８のいずれかに記載の樹脂封止型半導体装置。
【発明の詳細な説明】
【技術分野】
【０００１】
本発明は、半導体チップとこれに接続されるリードフレームとを樹脂で封止してなる樹脂封止型半導体装置に係り、特に信頼性の向上対策に関する。
【背景技術】
【０００２】
近年、機器の小型・軽量化を目的として、プリント基板に実装する半導体製品の小型化・薄型化が強く要求されている。この目的を実現するために、例えば、ポリイミドテープを用いたＴＡＢ実装技術等が開発されている。しかし、現在でも、一般的な機器には、半導体チップとこれに接続されるリードフレームとを樹脂で封止してなる樹脂封止型半導体装置が汎用されている。
【０００３】
以下、現在汎用されている樹脂封止型半導体装置について説明する。図８は、従来の両面封止型の樹脂封止型半導体装置の一例を示す断面図である。
【０００４】
図８に示す従来の樹脂封止型半導体装置は、リードフレームのダイパッド１０２の上に半導体チップ１０３を搭載し、その半導体チップ１０３の電極パッド（図示せず）とリードフレームのインナーリード１０４とを金属細線１０５により電気的に接続している。そして、半導体チップ１０３、ダイパッド１０２、インナーリード１０４及び金属細線１０５が封止樹脂１０６内に封止されている。そして、インナーリード１０４につながり封止樹脂１０６の外方に突出しているアウターリード１０１がプリント配線板等に接続される外部電極端子となる。この構造では、半導体チップ１０３の上方とダイパッド１０２の下方との双方に封止樹脂１０６が存在することになるので、半導体装置全体の厚みが大きくなる欠点がある。
【０００５】
そこで、図９及び図１０に示す片面封止型半導体装置が考えられている。ただし、図９はインナーリード１０４が存在する断面における従来の片面封止型半導体装置の断面図であり、図１０は従来の片面封止型半導体装置の裏面図である。図９及び図１０に示す各部に用いられる材料・機能は図８におけると同じなので同一番号を付して、その説明は省略する。図９及び図１０に示す片面封止型の半導体装置の構造では、封止樹脂１０６がダイパッド１０２の半導体チップ１０３を搭載している面側にのみ存在しているので、半導体装置全体の厚さを小さくすることができる。
【特許文献１】実開昭５４−１０６７７６号公報
【特許文献２】実開昭６１−４２８５６号公報
【特許文献３】特開平６−２１３０４号公報
【特許文献４】特開平６−２１３１５号公報
【特許文献５】特許第２９１５８９２号公報
【発明の開示】
【発明が解決しようとする課題】
【０００６】
しかしながら、上記図９及び図１０に示す従来の樹脂封止型半導体装置においては、以下のような問題がある。
【０００７】
すなわち、片面封止型の半導体装置の場合、両面封止型の半導体装置に比べてインナーリード１０４の下方に封止樹脂が存在しないことから、インナーリード１０４に対する封止樹脂１０６の保持力がどうしても弱くなるので、図８に示す断面内においてインナーリード１０４に引っ張り力などの力が作用すると、インナーリード１０４が容易に封止樹脂から剥がれるおそれがある。特に、半導体チップ内に多数の半導体素子（トランジスタなど）を搭載して高密度化を図ることで、外部電極端子数が増大すると、プリント配線板にかかる曲げ応力により、半田等によって基板に取り付けられた半導体装置の外部電極端子がプリント配線板や封止樹脂から剥がれたり、実装後における半導体装置の温度サイクル耐性が低下したりするなど、信頼性の低下を招くおそれがある。
【０００８】
本発明は、半導体装置に印加される熱応力等の応力が、特に半導体装置のコーナー部に近づくほど顕著になる点に着目してなされたものである。
【０００９】
本発明の第１の目的は、半導体装置の１つの辺における外部電極の配置密度を辺の中央部と端部（つまりコーナー部に近い部分）とで異ならせることにより、外部電極数の増大を図りつつ、封止樹脂と外部電極との間の接合力の強化を図ることにある。
【００１０】
また、本発明の第２の目的は、半導体装置の１つの辺における外部電極の面積を辺の中央部と端部とで異ならせることにより、外部電極数の増大を図りつつ、外部電極とプリント配線板等の実装基板との間の接合力の強化を図ることにある。
【００１１】
さらに、本発明の第３の目的は、半導体装置の各辺における外部電極の形状を利用することで、半導体装置の基準位置を識別を可能とし、実装基板への取り付けの容易化を図ることにある。
【課題を解決するための手段】
【００１２】
上記の目的を達成するために、本発明の樹脂封止型半導体装置は、ダイパッドと、溝を有するリードと、ダイパッドに搭載された半導体チップと、半導体チップとリードとを電気的に接続する金属細線と、溝と、金属細線と、半導体チップと、リードの上面とを封止し、かつ、リードの下面の一部を露出する封止樹脂とを備え、溝は、リードの下面の露出部の上方に位置し、リードは、上方の幅が下方の幅よりも広い部分を有し、金属細線は、リードの溝の上でない部分であって、封止樹脂に封止された部分に接続される。
【００１３】
本発明の樹脂封止型半導体装置において、リードの下面の一部以外の部分が封止樹脂により封止されたことが好ましい。
【００１４】
本発明の樹脂封止型半導体装置において、リードは、上面が下面よりも大きいことが好ましい。
【００１５】
本発明の樹脂封止型半導体装置において、溝は、リードの上面に形成されていることが好ましい。
【００１６】
本発明の樹脂封止型半導体装置において、リードは、溝よりもダイパッド側に薄肉部を有し、薄肉部の厚みは、リードの下面の露出部とリードの溝を除く上面とで構成される厚みよりも薄いことが好ましい。
【００１７】
本発明の樹脂封止型半導体装置において、薄肉部の下方に樹脂封止を有していることが好ましい。
【００１８】
本発明の樹脂封止型半導体装置において、半導体チップは、前記ダイパッドからはみ出して搭載されていることが好ましい。
【００１９】
本発明の樹脂封止型半導体装置において、封止樹脂は、ダイパッドの下面を露出していることが好ましい。
【００２０】
本発明の樹脂封止型半導体装置において、封止樹脂の側面とリードの先端とがほぼ同一面であることが好ましい。
【発明の効果】
【００２１】
本発明の第１の半導体装置によれば、半導体チップ，リード及び接続部材をリードの下面を露出させた状態で封止樹脂内に封止した樹脂封止型半導体装置において、リードの下部を外部電極として機能させるとともに、半導体装置の裏面における外部電極の配列ピッチがコーナー部におけるよりも辺の中央部において小さい構造としたので、特に熱応力等の応力が強く作用するコーナー部におけるリードの抜け，剥がれ等の不具合を防止することにより、半導体装置内の半導体素子の高密度化を図りつつ、信頼性の向上を図ることができる。
【００２２】
本発明の第２の半導体装置によれば、半導体チップ，リード及び接続部材をリードの下面を露出させた状態で封止樹脂内に封止した樹脂封止型半導体装置において、リードの下部を外部電極として機能させるとともに、半導体装置の裏面における外部電極の下面の面積が辺の中央部におけるよりもコーナー部において大きい構造としたので、特に熱応力等の応力が強く作用するコーナー部における実装基板との接合力を高めることにより、実装後における半導体装置の信頼性の向上を図ることができる。
【００２３】
本発明の第３の半導体装置によれば、半導体チップ，リード及び接続部材をリードの下面を露出させた状態で封止樹脂内に封止した樹脂封止型半導体装置において、リードの下部を外部電極として機能させるとともに、各辺のうち１つの辺における少なくとも１つの外部電極の形状を半導体装置の基準位置の識別マークとなるように形成しておく構造としたので、半導体装置の検査時や実装基板への実装時における基準位置を容易かつ迅速に識別することができ、半導体装置の製造の容易化を図ることができる。
【００２４】
本発明の第１のリードフレームによれば、上記第１の半導体装置の効果を実現するためのリードフレームの提供を図ることができる。
【００２５】
本発明の第２のリードフレームによれば、上記第２の半導体装置の作用効果を得るためのリードフレームの提供を図ることができる。
【発明を実施するための最良の形態】
【００２６】
以下、本発明の樹脂封止型半導体装置の実施形態について図面を参照しながら説明する。
【００２７】
（第１の実施形態）
図１，図２及び図３は、それぞれ本発明の第１の実施形態に係る樹脂封止型半導体装置の構造を説明する断面図，上面図及び裏面図である。ただし、図２の平面図では、内部構造を理解しやすくするため、封止樹脂を透視した状態を示している。また、図１は、図２に示すＩ-Ｉ線における断面図である。
【００２８】
図１〜図３に示すように、本実施形態の樹脂封止型半導体装置は、リードフレームの一部である吊りリード１０と、吊りリード１０により支持されるダイパッド１１と、ダイパッド１１上に搭載され内部に多数の半導体素子を有する半導体チップ１２と、先端が半導体チップ１２の近傍に配置されたリード１３と、半導体チップ１２の主面上の電極パッド（図示せず）とリード１３とを電気的に接続する接続部材としての金属細線１４と、吊りリード１０，ダイパッド１１，半導体チップ１２，リード１３及び金属細線１４とを封止する封止樹脂１５とによって構成されている。そして、リード１３の下部が外部電極１６として機能する。つまり、外部電極１６の下面とプリント配線板等の実装基板の配線面とをはんだ等により接合することで、半導体装置を実装基板上に実装できるように構成されている。
【００２９】
また、図１に示すように、各吊りリード１０には、ダイパッド１１を外部電極１６よりも上方に位置させる（つまりアップセットする）ための段差部１７が形成されているので、ダイパッド１１の下方に封止樹脂１５の下方部分１５ａが存在し、半導体チップ１２の上方には封止樹脂の上方部分１５ｂが存在している。つまり、半導体チップ１２とダイパッド１１が両面側において樹脂封止されている。
【００３０】
また、各リード１３の上面側にはそれぞれ複数例えば２つの溝１９が形成されており、この溝１９によって封止樹脂１５とリード１３との接触面積を増大させ、リード１３に対する封止樹脂１５の保持力を高めるようにしている。
【００３１】
ここで、本実施形態に係る半導体装置の特徴は、図２及び図３に示すように、半導体装置の裏面に露出している各外部電極１６のピッチが均一でない点である。すなわち、半導体装置の各辺の中央部では各外部電極１６の配列ピッチが小さく、コーナー部である各辺の端部に向かうにつれて各外部電極１６間の配列ピッチが大きくなっている。
【００３２】
したがって、本実施形態の半導体装置によると、特に熱応力等の応力が強く作用する半導体装置のコーナー部付近、つまりコーナー部では外部電極１６の配列ピッチつまりリード１３の配列ピッチを大きくしておき、応力が比較的弱く作用する各辺の中央部でリード１３の配列ピッチを小さくすることで、半導体装置全体としての信頼性を低下させることなく、同じサイズの半導体装置同士で比較すると外部電極数を増大させることができる。例えば、コーナー部においてリード１３に大きな応力が作用しても、コーナー部ではリード１３に対する封止樹脂の存在割合が大きいので、リード１３に対する封止樹脂１５の保持力が大きい。一方、各辺の中央部では各リード１３に対する封止樹脂の存在割合が小さくなり、封止樹脂１５の保持力が比較的弱くなるが、この中央部ではリード１３に作用する熱応力等の応力が小さい。したがって、実装後に熱サイクルが作用しても、各リード１３が封止樹脂１５から剥がれる等の不具合が生じる確率は小さくなり、かつその確率は各リード１３間でほぼ同等になる。つまり、信頼性が向上することになる。
【００３３】
なお、本実施形態の半導体装置は、図１に示すように、ダイパッド１１が外部電極１６より上方に位置するように、吊リード１０に段差１７が形成されているので、ダイパッド１１の下方に封止樹脂１５の下方部分１５ａが存在している。つまり、半導体チップ１２とダイパッド１１が両面において樹脂封止されている。そして、この段差部１７の両側の高低差を小さくすることにより、薄型でありながら信頼性の高い半導体装置が得られるという利点をも有する。
【００３４】
ただし、本発明はかかる実施形態に限定されるものではなく、図１１に示すように、外部電極１６を封止樹脂の下面よりも下方に若干突出させたり、あるいは、ダイパット１１の下面を露出させ足りした形態の片面封止型の半導体装置に適用しても同様の利点が得られることはいうまでもない。
【００３５】
さらに、リード１３の上面側に溝１９が形成されているので、リード１３と封止樹脂１５との接触面積が増大するために封止樹脂１５の保持力が増大する。したがって、より信頼性の高い半導体装置が得られることになる。
【００３６】
また、本実施形態における半導体装置においては、図１及び図２に示すように、リード１３の先端部分に２つの溝１９を形成し、その溝１９の間の領域に金属細線１４を接続しているので、金属細線１４のリード１３との接続部に熱応力によって生じる歪みが緩和され、金属細線１４の断線等の不具合を抑制する効果も得られる。
【００３７】
また、本実施形態に係る半導体装置の構成は、従来の半導体装置に比べると、封止樹脂１５の側方に突出する外部ーリードがない分だけ装置が小型化される。
【００３８】
なお、本実施形態ではダイパッド１１は搭載しようとする半導体チップ１２よりも小さな面積を有する構成としているが、本発明はかかる実施形態の構造に限定されるものではない。
【００３９】
図４は、本実施形態の樹脂封止型半導体装置の製造に適したリードフレームの一例を示す図である。同図に示すように、本実施形態に係るリードフレームは、矩形状の外枠２０と、外枠２０で囲まれる領域内に配置され半導体チップを搭載するためのダイパッド１１と、ダイパッド１１と外枠２０とを接続するための吊りリード１０と、半導体チップの搭載領域に近接した位置から外方に延びて外枠２０に接続されるリード１３とを備えている。吊りリード１０にはダイパッド１１をアップセットするための段差部１７が設けられている。そして、リード１３の配列ピッチは、外枠２０のコーナー部におけるよりも辺の中央部で小さいように配列されている。
【００４０】
次に、本実施形態に係る樹脂封止型半導体装置の製造方法について、図１〜図４を参照しながら説明する。
【００４１】
まず、図４に示すリードフレームを形成した後、導電性接着剤により半導体チップ１２の裏面をダイパッド１１に接合する。これらのリードフレームには、半導体装置のプリント配線板への実装のために、半導体チップの搭載前に予め、或いは、樹脂封止工程後にパラジウムメッキを行う。なお、半導体チップの搭載前に予めパラジウムメッキを施す場合には、インナーリード１３の部分を除いた他の部分をマスクしてリード１３のみをメッキするようにしてもよい。
【００４２】
次に、半導体チップ１２の電極パッド（図示せず）とリードフレームのリード１３とを金属細線１４により電気的に接続する。その際、リード１３側における金属細線１４の接続部は、リード１３に設けられた２つの溝部１９間におけるリード１３の上面である。
【００４３】
次に、トランスファーモールドにより、半導体チップ１２，ダイパッド１１，吊りリード１０，リード１３及び金属細線１４を封止樹脂１５により封止する。この場合、ダイパッド１１の下方に封止樹脂１５の下方部分１５ａが存在し、半導体チップ１２の上方には封止樹脂の上方部分１５ｂが存在するように、つまり、半導体チップ１２とダイパッド１１を両面側において封止する。封止樹脂１５の厚みは、ダイパッド部１１の下方にある下方部分１５ａの下面がリード部１３の裏面と同一面になり、半導体チップ１２の上方にある上方部分１５ｂでは、金属細線１４のループ高さ以上の厚さになるように封止する。なお、樹脂封止工程では、リード１３の裏面側に封止樹脂１５が回り込まないように気密性よく封止することが好ましい。
【００４４】
そして、リードフレームのアウターリードの切断を行い、封止樹脂１５の側端とリードの先端とほぼ同一面になるように成形する。
【００４５】
以上のような工程により、半導体チップ１２とダイパッド１１の両面を樹脂で封止した信頼性の高い半導体装置を製造することができる。以上の製造工程は、図７に示す従来の半導体装置を形成する工程にくらべ、アウターリードを加工する工程が不要となり、量産性に優れている。
【００４６】
以上の工程に用いられるリードフレームは、図２に例示した外部電極１６の配置・形状を持ち、プリント配線板に実装された時に半導体装置にかかる応力により、外部電極１６のはんだ付け部と封止樹脂１５からの剥がれ，抜けが発生しないようにしている。
【００４７】
（第２の実施形態）
次に、第２の実施形態について説明する。図５は本実施形態における半導体装置の裏面図である。本実施形態においても、半導体装置の断面構造は上記第１の実施形態における図１に示す構造と同じであるので、断面図の図示は省略する。また、本実施形態の半導体装置の上面構造は図５に示す裏面図から容易に理解できるので、上面図の図示は省略する。
【００４８】
図５に示すように、本実施形態の半導体装置において、各辺における外部電極１６（つまりリード１３）の配列ピッチが各辺の中央部で小さくコーナー部で大きい点は上記第１の実施形態と同じである。ただし、本実施形態では、半導体装置のコーナー部（辺の端部）においては外部電極１６の幅が広くかつ短いのに対し、中央部に向かうほど外部電極１６の幅が狭くかつ長くなるように形成されている点が特徴である。ただし、半導体装置の４つの辺のうち図中の下辺においては、中央部の１対の外部電極１６が短く形成されている。
【００４９】
本実施形態の半導体装置によると、半導体装置の各辺における外部電極１６（リード１３）の配列ピッチを中央に向かうほど小さくするとともに、外部電極１６（リード１３）の幅を中央に向かうほど狭くすることで、各辺の中央部に、上記第１の実施形態よりもさらに高密度に外部電極１６を設けることができる。そして、半導体装置内における半導体素子の高密度化を図りつつ、上記第１の実施形態と同様の作用によって半導体装置の信頼性の向上を図ることができるのである。なお、コーナー部でリードを長くすると、相隣接する辺の端部のリードが互いに接触したり、吊りリードに接触するおそれもあるが、辺の中央部ではかかる制約はない。
【００５０】
なお、本実施形態において、リード１３の下部である外部電極１６の下面の面積をコーナー部に向かうほど大きくすることが好ましい。外部電極１６は、一般的にははんだ付けによってプリント配線板等の実装基板の接続端子に接続されるが、その際にも半導体装置のコーナー部ほど両者の接続部に加わる熱応力等の応力が大きい。したがって、外部電極１６の下面の面積をコーナー部に向かうほど大きくすることにより、外部電極１６と実装基板の接続端子との接合の信頼性を高く維持することができる。
【００５１】
さらに、本実施形態では、半導体装置の４つの辺のうち図中の下辺において中央部の１対の外部電極１６を短くして、他の辺とは外部電極１６の形状の変化状態を異ならせている。このように、１つの辺の単独または複数の外部電極の形状を他の辺と異なる形状にすることは、外部電極の配列ピッチを変更するとより容易になる。そして、他の辺と異なる形状の外部電極は、半導体装置の検査、プリント配線板への実装時の位置・方向の識別マークとして役立つ。このように、識別マークとして使用する方法は、実施形態のごとく外部電極の配列ピッチをコーナー部と辺の中央部とで異ならせたものに限定されるものではなく、外部電極の配列が等ピッチのものであっても効果を発揮することができる。
【００５２】
（第３の実施形態）
次に、第３の実施形態について説明する。図６は本実施形態における半導体装置の裏面図である。本実施形態においても、半導体装置の断面構造は上記第１の実施形態における図１に示す構造と同じであるので、断面図の図示は省略する。また、本実施形態の半導体装置の上面構造は図６に示す裏面図から容易に理解できるので、上面図の図示は省略する。
【００５３】
図６に示すように、本実施形態の半導体装置において、各辺における外部電極１６（つまりリード１３）の配列ピッチが各辺の中央部で小さくコーナー部で大きい点は上記第１の実施形態と同じである。本実施形態では、半導体装置のコーナー部においては外部電極１６の幅が広いのに対し、中央部に向かうほど外部電極１６の幅が狭くなるように形成されている点が特徴である。ただし、各外部電極１６の長さは共通である。
【００５４】
本実施形態の半導体装置によると、半導体装置の各辺における外部電極１６の配列ピッチを中央に向かうほど小さくするとともに、リード１３の幅を中央に向かうほど狭くすることで、各辺の中央部に、上記第１の実施形態よりもさらに高密度にリード１３つまり外部電極１６を設けることができる。そして、半導体装置内における半導体素子の高密度化を図りつつ、上記第１の実施形態と同様の作用によって、半導体装置の信頼性の向上を図ることができる。
【００５５】
また、本実施形態では、外部電極１６の下面の面積を辺の中央部におけるよりもコーナー部で大きくしているので、以下の作用効果が得られる。上述のように、プリント配線板等の実装基板に搭載された状態では、半導体装置のコーナー部ほど両者の接続部に加わる熱応力等の応力が大きい。そこで、外部電極１６の下面の面積を辺の中央部におけるよりもコーナー部で大きくすることにより、コーナー部付近における外部電極と実装基板の接続端子との間の接合力を高めることができ、外部電極１６と実装基板との接合の信頼性を高く維持することができる。
【００５６】
特に、本実施形態のように、外部電極１６の配列ピッチを辺の中央部におけるよりもコーナー部で大きくすることにより、外部電極の下面の面積を辺の端部に向かうほど大きくすることが容易である。すなわち、半導体装置自体の信頼性の向上効果に加えて、半導体装置をプリント配線板等の実装基板に実装する場合に、半導体装置の外部電極と実装基板の配線との間の接合部の信頼性の向上をも図ることができるのである。
【００５７】
また、プリント配線板への実装は、半導体装置の直交する中心線でプリント配線板の配線導体との位置あわせをする実装方法が一般的で、この方法でははんだの表面張力の釣り合いによってセルフアライメント効果が生じ、位置補正がされることが知られている。したがって、外部電極の下面の幅を広げることによりセルフアライメント効果が大きくなるので、実装基板上への半導体装置の実装がより容易になるという利点もある。
【００５８】
なお、本実施形態においても、図６の破線に示すように、外部電極の一部の長さを長くするなど、形状を他の外部電極と異ならせることにより、半導体装置を実装基板に実装する際の外部電極と実装基板の配線上の接続端子との接続関係を容易かつ迅速に識別できるように構成することができる。
【００５９】
（その他の実施形態）
次に、上記各実施形態に共通に適用できる他の実施形態について説明する。
【００６０】
上記各実施形態において、パット１１の下面を露出するようにしてもよい。その場合、吊りリード１０に段差部を設けずにストレート形状とすれば、ダイパッド１１の下面は封止樹脂から露出する。このように片面封止型半導体装置とすることにより、半導体装置全体の厚みをより薄くできる。
【００６１】
図７（ａ），（ｂ）に示すように、上記各実施形態において、リード１３の内部に広幅部１８を設けることができる。ここで、リード１３の２つの溝１９のうち一方の溝１９は幅の狭い部分にあり、他方の溝１９は内方の広幅部１８にあるようにする。このように、リード１３の封止樹脂１５内における内部側の幅が外側の幅より広くなるように厚さ方向の幅を加工することによリ、外部電極と封止樹脂との接着力を強化することができる。特に、リード１３を側方に引っ張る力に対する広幅部１８のアンカー効果によって、リード１３の抜け，剥がれを防止することができ、半導体装置の信頼性の向上を図ることができる。
【００６２】
さらに、リードの広幅部１８において、図７（ａ）の破線に示すように、リード１３の下部である外部電極１６となる部分の幅を狭くすることにより、リード１３に下方の引っ張り力に対するアンカー効果を生ぜしめることができ、外部電極１６を下方にの引っ張る力に対する抜け，剥がれの防止に有効であり、半導体装置の信頼性の向上を図ることができる。
【００６３】
ただし、広幅部だけでなく狭幅部分にこのような段付形状が設けられていてもよいし、広幅部を有しない平面的にストレート形状のリードに対して段付形状が設けられていてもよい。
【００６４】
また、上記図１及び図２に示すような溝１９を有しないリードに対しての本発明は適用できるものである。
【００６５】
なお、上記第２，第３の実施形態では、各外部電極１６の配列ピッチが均一であっても、外部電極１６の下面の面積が辺の中央部で小さくコーナー部で大きくすることにより、半導体装置の外部電極１６とプリント配線板等の接続端子との接合の信頼性を高める効果があるのはいうまでもない。
【００６６】
また、上記各実施形態では、吊りリードやダイパッドが存在するが、吊りリード，ダイパッドは必ずしも必要でない。吊りリードやダイパッドが存在しない半導体装置であっても、本発明の効果を有効に発揮することができる。
【００６７】
さらに、上記各実施形態では、リードと半導体チップの電極パッドとを電気的に接続する接続部材として金属細線を用いているが、金属細線の代わりに、バンプ等を用いてもよいことはいうまでもない。
【図面の簡単な説明】
【００６８】
【図１】第１の実施形態に係る樹脂封止型半導体装置の断面図である。
【図２】第１の実施形態に係る樹脂封止型半導体装置の構造を封止樹脂を透過して示す上面図である。
【図３】第１の実施形態に係る樹脂封止型半導体装置の裏面図である。
【図４】第１の実施形態に係る樹脂封止型半導体装置の製造に適したリードフレームの構造の一例を示す平面図である。
【図５】第２の実施形態に係る樹脂封止型半導体装置の裏面図である。
【図６】第３の実施形態に係る樹脂封止型半導体装置の裏面図である。
【図７】他の実施形態におけるリードの形状を示す平面図及び斜視図である。
【図８】従来の両面封止型半導体装置の断面図である。
【図９】従来の片面封止型半導体装置の断面図である。
【図１０】従来の片面封止型半導体装置の裏面図である。
【図１１】第１の実施形態の変形例に係る半導体装置の断面図である。
【符号の説明】
【００６９】
１１  ダイパッド
１２  半導体チップ
１３  リード
１４  金属細線（接続部材）
１５  封止樹脂
１６  外部電極
１７  段差部
１８  幅広部
１９  溝
２０  外枠
【図１】
0003639302.tif 000002
【図２】
0003639302.tif 000003
【図３】
0003639302.tif 000004
【図４】
0003639302.tif 000005
【図５】
0003639302.tif 000006
【図６】
0003639302.tif 000007
【図７】
0003639302.tif 000008
【図８】
0003639302.tif 000009
【図９】
0003639302.tif 000010
【図１０】
0003639302.tif 000011
【図１１】
0003639302.tif 000012